(57)【特許請求の範囲】
【請求項１】
車体に取り付けられるハウジングと、
前記ハウジングに取り付けられた複数の端子金具とを備えた充電用コネクタにおいて、前記ハウジングの後方に配置される電子部品ユニットであって、
絶縁性材料からなるベース部材と、
前記複数の端子金具に接続され、前記ハウジングの後方へ導出されて前記ベース部材に沿って配索された複数本の電線と、
パッケージからリードを突出させた形態の電子部品と、
前記ベース部材に取り付けられ、前記複数本の電線が接続される電線用接続部と前記リードが接続されるリード用接続部を有するバスバーと、
前記バスバーと、前記リードと、前記複数本の電線における前記バスバーとの接続部分を包囲するモールド成形体とを備え、
前記ベース部材には、前記複数本の電線を、前記ハウジングの後面における導出位置と対応する位置に保持する位置決め部が形成され、
前記モールド成形体の前面における前記複数本の電線の導出位置を、前記ハウジングの後面における前記複数本の電線の導出位置と対応する位置関係とすることで、前記ハウジングの後面に接近した位置に配置されていることを特徴とする電子部品ユニット。
【請求項２】
前記リードの突出方向が、前記ベース部材における前記電線の配索方向と交差する方向とされていることを特徴とする請求項１記載の電子部品ユニット。
【請求項３】
前記電子部品は、前記パッケージの外形寸法のうち前記ベース部材における前記電線の配索方向と平行な方向の外形寸法が最小となるように配置されていることを特徴とする請求項１又は請求項２記載の電子部品ユニット。
【請求項４】
前記ベース部材が板状部を有しており、
複数の前記電子部品を含む回路構成部品が、前記板状部の表裏両面側に配置されていることを特徴とする請求項１ないし請求項３のいずれか１項に記載の電子部品ユニット。
【請求項５】
前記電線用接続部が、前記電線を仮保持することが可能な形態とされ、
前記電線が、前記電線用接続部に仮保持された状態で溶接により前記バスバーに固着されていることを特徴とする請求項１ないし請求項４のいずれか１項に記載の電子部品ユニット。
【請求項６】
前記リード用接続部が、前記リードを仮保持することが可能な形態とされ、
前記リードが、前記リード用接続部に仮保持された状態で溶接により前記バスバーに固着されていることを特徴とする請求項１ないし請求項５のいずれか１項に記載の電子部品ユニット。
【請求項７】
変圧器を構成するフェライトコアが、前記ベース部材に取り付けられていることを特徴とする請求項１ないし請求項６のいずれか１項に記載の電子部品ユニット。
【発明の詳細な説明】
【技術分野】
【０００１】
本発明は、電子部品ユニットに関するものである。
【背景技術】
【０００２】
特許文献１には、電気自動車やプラグインハイブリッド車に搭載したバッテリを充電するために車体に設けられる受電側の充電用コネクタが開示されている。充電用コネクタは、車体に取り付けられるハウジングと、ハウジングに取り付けられた複数の端子金具と、端子金具に接続されてハウジングの背面側へ導出された電力線を含むワイヤーハーネスとを備えて構成されている。
【０００３】
この種の充電用コネクタでは、車両と給電装置との間で充電制御のための情報を送受信するための手段として、車両側に電力線送信手段（以下、ＰＬＣ（Power Line Communication）という）が設けられる。ＰＬＣの一例としては、電力線に重畳された信号を取り出すための変圧器を、充電用コネクタのハウジングの近傍に配置するとともに、電力線に重畳された信号を変圧器から抽出することにより給電装置からの信号を取り出するためのＰＬＣユニットを、充電用コネクタから離れた位置に配置した回路基板に実装する形態が考えられる。このように変圧器をハウジングの近傍に配置する場合、変圧器の近傍において、電線に、コンデンサや、雷サージ対策用のバリスタや、嵌合検知用の抵抗等の電子部品が接続される。
【先行技術文献】
【特許文献】
【０００４】
【特許文献１】特開平７−１９２８２６号公報
【発明の概要】
【発明が解決しようとする課題】
【０００５】
一般に、ワイヤーハーネスにおいて電子部品と電線とを接続する場合の接続手段として、圧着部を有するスプライス端子が広く用いられる。スプライス端子を用いて複数の電子部品の接続作業を行う場合、電子部品を位置決めする手段を設けないので、接続後の電子部品が散在することになり、結果的に、電子部品を配置するために広いスペースを確保する必要がある。
本発明は上記のような事情に基づいて完成されたものであって、電子部品の配置スペースを小さく抑えることを可能にすることを目的とする。
【課題を解決するための手段】
【０００６】
上記の目的を達成するための手段として、請求項１の発明は、車体に取り付けられるハウジングと、前記ハウジングに取り付けられた複数の端子金具とを備えた充電用コネクタにおいて、前記ハウジングの後方に配置される電子部品ユニットであって、絶縁性材料からなるベース部材と、前記複数の端子金具に接続され、前記ハウジングの後方へ導出されて前記ベース部材に沿って配索された複数本の電線と、パッケージからリードを突出させた形態の電子部品と、前記ベース部材に取り付けられ、前記複数本の電線が接続される電線用接続部と前記リードが接続されるリード用接続部を有するバスバーと、前記バスバーと、前記リードと、前記複数本の電線における前記バスバーとの接続部分を包囲するモールド成形体とを備え、前記ベース部材には、前記複数本の電線を、前記ハウジングの後面における導出位置と対応する位置に保持する位置決め部が形成され、前記モールド成形体の前面における前記複数本の電線の導出位置を、前記ハウジングの後面における前記複数本の電線の導出位置と対応する位置関係とすることで、前記ハウジングの後面に接近した位置に配置されているところに特徴を有する。
【０００７】
請求項２の発明は、請求項１に記載のものにおいて、前記リードの突出方向が、前記ベース部材における前記電線の配索方向と交差する方向とされているところに特徴を有する。
【０００８】
請求項３の発明は、請求項１又は請求項２に記載のものにおいて、前記電子部品は、前記パッケージの外形寸法のうち前記ベース部材における前記電線の配索方向と平行な方向の外形寸法が最小となるように配置されているところに特徴を有する。
【００１１】
請求項４の発明は、請求項１ないし請求項３のいずれかに記載のものにおいて、前記ベース部材が板状部を有しており、複数の前記電子部品を含む回路構成部品が、前記板状部の表裏両面側に配置されているところに特徴を有する。
【００１２】
請求項５の発明は、請求項１ないし請求項４のいずれかに記載のものにおいて、前記電線用接続部が、前記電線を仮保持することが可能な形態とされ、前記電線が、前記電線用接続部に仮保持された状態で溶接により前記バスバーに固着されているところに特徴を有する。
【００１３】
請求項６の発明は、請求項１ないし請求項５のいずれかに記載のものにおいて、前記リード用接続部が、前記リードを仮保持することが可能な形態とされ、前記リードは、前記リード用接続部に仮保持された状態で溶接により前記バスバーに固着されているところに特徴を有する。
【００１４】
請求項７の発明は、請求項１ないし請求項６のいずれかに記載のものにおいて、変圧器を構成するフェライトコアが、前記ベース部材に取り付けられているところに特徴を有する。
【発明の効果】
【００１５】
＜請求項１の発明＞
電子部品が接続されるバスバーは、ベース部材に取り付けられことによって位置決めされるので、電子部品も所定の位置に位置決めされる。これにより、電子部品の配置スペースを小さく抑えることができる。
また、バスバーと、リードと、電線におけるバスバーとの接続部分は、露出した導電部分であるが、この導電部分は、モールド成形体で包囲されることによって防水されている。
また、ベース部材における複数本の電線の位置を、ハウジングの背面の導出位置と対応させたので、ベース部材をハウジングの後面に接近した位置に配置することができる。これにより、充電用コネクタの小型化を図ることができる。
【００１６】
＜請求項２の発明＞
リードの突出方向を、ベース部材における電線の配索方向と交差する方向に向けたので、電線の配索方向における電子部品の配置スペースを小さく抑えることができる。
【００１７】
＜請求項３の発明＞
パッケージの外形寸法は、ベース部材における電線の配索方向と平行な方向において最小となっているので、電線の配索方向における電子部品の配置スペースを小さく抑えることができる。
【００２０】
＜請求項４の発明＞
複数の電子部品を含む回路構成部品を、ベース部材の板状部の表裏両面に配置したので、板状部の片面側のみに回路構成部品を配置する場合に比べると、ベース部材を小型化することができる。
【００２１】
＜請求項５の発明＞
電線が電線用接続部に仮保持されるので、電線をバスバーに溶接する際に、電線を手で押さえておかずに済み、作業性が良い。
【００２２】
＜請求項６の発明＞
リードがリード用接続部に仮保持されるので、リードをバスバーに溶接する際に、リードを手で押さえておかずに済み、作業性が良い。
【００２３】
＜請求項７の発明＞
フェライトコアは、ベース部材に取り付けられることによって電子部品の近傍に配置されるので、全体として小型化を図ることができる。
【図面の簡単な説明】
【００２４】
【図１】実施形態１の電子部品ユニットの斜視図
【図２】電子部品ユニットの上面側の部品を外した状態をあらわす斜視図
【図３】電子部品ユニットを上下反転させた状態をあらわす斜視図
【図４】電子部品ユニットを上下反転させて下面側の部品を外した状態をあらわす斜視図
【図５】電子部品ユニットを含む充電用コネクタの断面図
【図６】ハウジングの後面における電線の導出位置と、電子部品ユニットの前面における電線の導出位置との位置関係をあらわす斜視図
【発明を実施するための形態】
【００２５】
＜実施形態１＞
以下、本発明を具体化した実施形態１を図１〜図６を参照して説明する。
【００２６】
＜充電用コネクタ１０＞
充電用コネクタ１０は、図５に示すように、車体６０に設けられたものであって、この充電用コネクタ１０には、給電装置の給電用コネクタ（図示省略）が嵌合されるようになっている。充電用コネクタ１０に給電側コネクタを嵌合すると、車載バッテリ（図示省略）を充電することができるようになっている。尚、以下の説明において、ハウジング１１を車体６０に取り付けた状態において、車体６０の外部から車体６０の内部に向かう方向を「後方」という。
【００２７】
図５に示すように、充電用コネクタ１０は、ハウジング１１と、ハウジング１１内に収容した複数（本実施形態では５つ）の端子金具１２とを備えて構成されている。ハウジング１１内には複数室のキャビティ１３が形成され、各キャビティ１３内には、夫々、端子金具１２がハウジング１１の後方（車内側）から挿入されている。キャビティ１３の内周と端子金具１２の外周との間は、端子金具１２がキャビティ１３内で前後方向へ相対移動するのを許容するためのクリアランスが確保されている。車体６０に固定されたハウジング１１は、その前面を車体６０の外部へ臨ませており、このハウジング１１の前端部が給電側コネクタとの嵌合部（接続部）となっている。車体６０の外部に臨むハウジング１１の前面に水が付着した場合、その水は、キャビティ１３と端子金具１２の隙間を通って車体６０の内部（ワイヤーハーネス１４側）へ浸入し得るようになっている。
【００２８】
＜ワイヤーハーネス１４＞
図５に示すように、ハウジング１１の後面からは、各端子金具１２の挿入方向後端部に接続された電線１６Ａ，１６Ｂ，１７，１８Ａ，１８Ｂが、ハウジング１１の後方へ導出されている。この複数本（本実施形態では５本）の電線１６Ａ，１６Ｂ，１７，１８Ａ，１８Ｂと、これらの電線１６Ａ，１６Ｂ，１７，１８Ａ，１８Ｂに接続された複数の端子金具１２は、ワイヤーハーネス１４を構成している。ワイヤーハーネス１４はハウジング１１から後方へ導出されており、ワイヤーハーネス１４の前端部（端末部）は充電用コネクタ１０を構成している。ワイヤーハーネス１４の前端部には、電子部品ユニット１５と、電子部品ユニット１５を包囲するグロメット５６が配置されている。
【００２９】
＜電子部品ユニット１５＞
電子部品ユニット１５は、複数本の電線１６Ａ，１６Ｂ，１７，１８Ａ，１８Ｂの端末部（前端側領域）と、ベース部材２０と、第１〜第６バスバー３３Ａ，３３Ｂ，３３Ｃ，３３Ｄ，３３Ｅ，３３Ｆと、パッケージ４４，４６，４８から一対のリード４５Ｌ，４５Ｓ，４７Ｌ，４７Ｒ，４９Ｌ，４９Ｒを突出させた形態の複数（本実施形態では５つ）の電子部品４１Ａ，４１Ｂ，４２Ａ，４２Ｂ，４３（本発明の構成要件である回路構成部品）と、変圧器５３を構成するフェライトコア５０（本発明の構成要件である回路構成部品）と、モールド成形体５５とを備えて構成されている。回路構成部品としての５つの電子部品４１Ａ，４１Ｂ，４２Ａ，４２Ｂ，４３とフェライトコア５０は、車両と給電装置との間で充電制御用の情報を送受信する電力線通信（Power Line Communication）を行うために充電用コネクタ１０側に設けたＰＬＣ回路を構成するものである。
【００３０】
図１に示すように、ハウジング１１から後方へ導出された複数本の電線１６Ａ，１６Ｂ，１７，１８Ａ，１８Ｂのうち、２本は、径寸法の大きいシールド電線からなる高圧用のＡＣ線１６Ａ，１６Ｂであり、１本は、径寸法の大きいシールド電線からなるＧＮＤ線１７（アース線）であり、残りの２本は、径寸法の小さい非シールド電線からなる信号線１８Ａ，１８Ｂである。
【００３１】
＜ベース部材２０＞
ベース部材２０は、絶縁性材料（合成樹脂）からなり、略方形をなす水平な板状部２１を有する。図２，４に示すように、板状部２１は、その上面側（表面側）の前縁に沿った上側前縁壁２２と、上面側の後縁に沿った上側後縁壁２３と、下面側（裏面側）の前縁に沿った下側前縁壁２４と、下面側の後縁に沿った下側後縁壁２５を有する。上側前縁壁２２と上側後縁壁２３には、夫々、その上端縁を略半円弧状に切欠した形態の左右一対の位置決め部２６が形成され、下側前縁壁２４と下側後縁壁２５にも、その下端縁を略半円弧状に切欠した形態の左右一対の位置決め部２６が形成されている。
【００３２】
図４に示すように、板状部２１には、その下面から下方へ角形に突出した形態の突出部２７が形成されている。突出部２７の形成範囲は、左右方向においては板状部２１の略中央領域であり、前後方向においては板状部２１の略中央位置から後端に至る領域である。突出部２７は、その前縁に沿った前壁部２８と、後縁に沿った後壁部２９とを有する。前壁部２８には、その下端縁を略半円弧状に切欠した形態の位置決め部２６が１つ形成されている。後壁部２９には、左右２つの位置決め部２６が形成されている。
【００３３】
図２，４に示すように、ベース部材２０には、突出部２７の前方において板状部２１を上下（板厚方向）に貫通する左右一対の挿通孔３０Ｌ，３０Ｒが形成されている。さらに、図４に示すように、板状部２１の下面には、突出部２７及び挿通孔３０Ｌ，３０Ｒよりも前方であって左右方向における略中央位置から下方へ突出した形態の位置決め突起３１が形成されている。図３，４に示すように、ベース部材２０には、板状部２１の下面側の前縁のうち略中央部分を下方へ延出させた形態の延長壁部３２が形成されている。延長壁部３２には、その下端縁を略半円弧状に切欠した形態の位置決め部２６が１つ形成されている。
【００３４】
＜バスバー３３Ａ，３３Ｂ，３３Ｃ，３３Ｄ，３３Ｅ，３３Ｆ＞
図２に示すように、第１バスバー３３Ａは、板状部２１と平行な板状本体部３４の外縁から電線用接続部３５と、コンデンサ用接続部３６（本発明の構成要件であるリード用接続部）と、バリスタ用接続部３７（本発明の構成要件であるリード用接続部）とを上方へ略直角に突出させた形態である。電線用接続部３５は、その上端縁を略円弧形に切欠した溝部を有し、コンデンサ用接続部３６とバリスタ用接続部３７は、その上端縁を下方へスリット状に切欠した形態の溝部を有する。第１バスバー３３Ａは、板状本体部３４を板状部２１の上面における右側縁に近い位置に重ねた状態で、ベース部材２０に固定されている。
【００３５】
第２バスバー３３Ｂは、板状部２１と平行な板状本体部３４の外縁から電線用接続部３５と、コンデンサ用接続部３６（本発明の構成要件であるリード用接続部）と、バリスタ用接続部３７（本発明の構成要件であるリード用接続部）とを上方へ略直角に突出させた形態である。電線用接続部３５は、その上端縁を略円弧形に切欠した溝部を有し、コンデンサ用接続部３６とバリスタ用接続部３７は、その上端縁を下方へスリット状に切欠した形態の溝部を有する。第２バスバー３３Ｂは、板状本体部３４を板状部２１の上面における左側縁に近い位置に重ねた状態で、ベース部材２０に固定されている。
【００３６】
図２，４に示すように、第３バスバー３３Ｃは、板状部２１と平行な板状をなす電線接続部３８の外縁から左右一対のバリスタ用接続部３７（本発明の構成要件であるリード用接続部）と、抵抗用接続部３９（本発明の構成要件であるリード用接続部）とを上方へ略直角に突出させた形態である。バリスタ用接続部３７と抵抗用接続部３９は、その上端縁を下方へスリット状に切欠した形態の溝部を有する。第３バスバー３３Ｃは、板状の電線接続部３８を突出部２７の下面に重ねるとともに、左右一対のバリスタ用接続部３７と抵抗用接続部３９を板状部２１を貫通させてその上面側へ突出させた状態で、ベース部材２０に固定されている。
【００３７】
図２，４に示すように、第４バスバー３３Ｄは、板状部２１と平行な板状本体部３４の外縁から抵抗用接続部３９（本発明の構成要件であるリード用接続部）を上方へ略直角に突出させるとともに、板状本体部３４の外縁から電線用接続部３５を下方へ略直角に突出させた形態である。電線用接続部３５は、その下端縁を略円弧形に切欠した溝部を有し、抵抗用接続部３９は、その上端縁を下方へスリット状に切欠した形態の溝部を有する。第４バスバー３３Ｄは、板状本体部３４を板状部２１の下面における右後隅部に重ねるとともに、抵抗用接続部３９を板状部２１を貫通させてその上面側へ突出させた状態で、ベース部材２０に固定されている。
【００３８】
図４に示すように、第５バスバー３３Ｅは、板状部２１と略直角をなすコンデンサ用接続部３６（本発明の構成要件であるリード用接続部）を有する。コンデンサ用接続部３６には、その下端縁を上方へスリット状に切欠した形態の溝部を有する。第５バスバー３３Ｅは、板状部２１の下面における左側の挿通孔３０Ｌの左方近傍位置に固定されている。
【００３９】
図４に示すように、第６バスバー３３Ｆは、板状部２１と略直角をなすコンデンサ用接続部３６（本発明の構成要件であるリード用接続部）を有する。コンデンサ用接続部３６には、その下端縁を上方へスリット状に切欠した形態の溝部を有する。第６バスバー３３Ｆは、板状部２１の下面における右側の挿通孔３０Ｒの右方近傍位置に固定されている。
【００４０】
＜電子部品４１Ａ，４１Ｂ，４２Ａ，４２Ｂ，４３＞
図２に示すように、５つの電子部品４１Ａ，４１Ｂ，４２Ａ，４２Ｂ，４３は、一対のコンデンサ４１Ａ，４１Ｂと、雷サージ対策用の一対のバリスタ４２Ａ，４２Ｂと、嵌合検知用の１つの抵抗４３で構成されている。コンデンサ４１Ａ，４１Ｂは、機能部品（図示省略）を収容するパッケージ４４と、機能部品から片持ち状に延出してパッケージ４４の下面から下向き（ベース部材２０の近傍における電線１６Ａ，１６Ｂ，１７，１８Ａ，１８Ｂの配索方向と交差する方向）に突出する長短２本の細長いリード４５Ｌ，４５Ｓとを備えている。パッケージ４４は、上下寸法及び左右寸法に対して前後寸法の小さい箱形をなす。つまり、コンデンサ４１Ａ，４１Ｂは、パッケージ４４の前後方向（ベース部材２０の近傍における電線１６Ａ，１６Ｂ，１７，１８Ａ，１８Ｂの配索方向と平行な方向）の外形寸法が最も小さくなるような向きに配置される。
【００４１】
第１コンデンサ４１Ａの右端部から突出した短尺のリード４５Ｓは、側方へ略Ｌ字形に屈曲されている。第１コンデンサ４１Ａの左端部から突出した長尺のリード４５Ｌは、後方へ屈曲され、側方へ屈曲され、下方へ屈曲され、更に側方へ屈曲された形状をなしている。第２コンデンサ４１Ｂの左端部から突出した短尺のリード４５Ｓは、側方へ略Ｌ字形に屈曲されている。第２コンデンサ４１Ｂの右端部から突出した長尺のリード４５Ｌは、後方へ屈曲され、側方へ屈曲され、下方へ屈曲され、更に側方へ屈曲された形状をなしている。
【００４２】
第１コンデンサ４１Ａは、板状部２１の上面側（表面側）に配置され、短尺のリード４５Ｓが第１バスバー３３Ａのコンデンサ用接続部３６の溝部に嵌合され、長尺のリード４５Ｌが左側の挿通孔３０Ｌを貫通して第５バスバー３３Ｅのコンデンサ用接続部３６の溝部に嵌合されている。このコンデンサ用接続部３６への嵌合により、第１コンデンサ４１Ａはベース部材２０に対して位置決めされた状態に仮保持される。リード４５Ｌ，４５Ｓとコンデンサ用接続部３６は、第１コンデンサ４１Ａが仮保持された状態で溶接によって導通可能に固着されている。
【００４３】
一方、第２コンデンサ４１Ｂは、板状部２１の上面側（表面側）に配置され、短尺のリード４５Ｓが第２バスバー３３Ｂのコンデンサ用接続部３６の溝部に嵌合され、長尺のリード４５Ｌが右側の挿通孔３０Ｒを貫通して第６バスバー３３Ｆのコンデンサ用接続部３６の溝部に嵌合されている。このコンデンサ用接続部３６への嵌合により、第２コンデンサ４１Ｂはベース部材２０に対して位置決めされた状態に仮保持される。リード４５Ｌ，４５Ｓとコンデンサ用接続部３６は、第２コンデンサ４１Ｂが仮保持された状態で溶接により導通可能に固着されている。
【００４４】
バリスタ４２Ａ，４２Ｂは、機能部品（図示省略）を収容するパッケージ４６と、機能部品から片持ち状に延出してパッケージ４６の下面から下向き（ベース部材２０の近傍における電線１６Ａ，１６Ｂ，１７，１８Ａ，１８Ｂの配索方向と交差する方向）に突出する左右一対の細長いリード４７Ｌ，４７Ｒとを備えている。パッケージ４６は、正面形状が略円形であり、平面形状が左右方向に長い略楕円形であり、側面形状が上下方向に長い略楕円形である。したがって、パッケージ４６の前後寸法は、上下寸法及び左右寸法に比べて小さい。つまり、バリスタ４２Ａ，４２Ｂは、パッケージ４６の前後方向（ベース部材２０の近傍における電線１６Ａ，１６Ｂ，１７，１８Ａ，１８Ｂの配索方向と平行な方向）の外形寸法が最も小さくなるような向きに配置される。
【００４５】
第１バリスタ４２Ａの右側のリード４７Ｒは、前方へ屈曲され、側方へ屈曲された形状をなす。第１バリスタ４２Ａの左側のリード４７Ｌは、後方へ屈曲された形状をなす。第２バリスタ４２Ｂの左側のリード４７Ｌは、側方へ屈曲された形状をなす。第２バリスタ４２Ｂの右側のリード４７Ｒは、後方へ屈曲され、側方へ屈曲された形状をなす。
【００４６】
第１バリスタ４２Ａは、板状部２１の上面側（表面側）に配置され、右側のリード４７Ｒが第１バスバー３３Ａのバリスタ用接続部３７の溝部に嵌合され、左側のリード４７Ｌが第３バスバー３３Ｃの右側のバリスタ用接続部３７の溝部に嵌合されている。このバリスタ用接続部３７への嵌合により、第１バリスタ４２Ａはベース部材２０に対して位置決めされた状態に仮保持される。リード４７Ｌ，４７Ｒとバリスタ用接続部３７は、第１バリスタ４２Ａが仮保持された状態で溶接により導通可能に固着されている。
【００４７】
第２バリスタ４２Ｂは、板状部２１の上面側（表面側）に配置され、左側のリード４７Ｌが第２バスバー３３Ｂのバリスタ用接続部３７の溝部に嵌合され、右側のリード４７Ｒが第３バスバー３３Ｃの左側のバリスタ用接続部３７の溝部に嵌合されている。このバリスタ用接続部３７への嵌合により、第２バリスタ４２Ｂはベース部材２０に対して位置決めされた状態に仮保持される。リード４７Ｌ，４７Ｒとバリスタ用接続部３７は、第２バリスタ４２Ｂが仮保持された状態で溶接により導通可能に固着されている。
【００４８】
抵抗４３は、機能部品（図示省略）を収容する略円柱性のパッケージ４８と、機能部品から片持ち状に延出してパッケージ４８の左右両端面から側方（ベース部材２０の近傍における電線１６Ａ，１６Ｂ，１７，１８Ａ，１８Ｂの配索方向と交差する方向）へ突出する２本の細長いリード４９Ｌ，４９Ｒとを備えて構成されている。パッケージ４８は、軸線を左右方向に向けた姿勢である。つまり、抵抗４３は、パッケージ４８の前後方向（ベース部材２０の近傍における電線１６Ａ，１６Ｂ，１７，１８Ａ，１８Ｂの配索方向と平行な方向）の外形寸法が最小となる向きに配置される。
【００４９】
抵抗４３は、板状部２１の上面側（表面側）に配置され、右側のリード４９Ｒが第４バスバー３３Ｄの抵抗用接続部３９の溝部に嵌合され、左側のリード４９Ｌが第３バスバー３３Ｃの抵抗用接続部３９の溝部に嵌合されている。この抵抗用接続部３９への嵌合により、抵抗４３はベース部材２０に対して位置決めされた状態に仮保持される。そして、リード４９Ｌ，４９Ｒと抵抗用接続部３９は、抵抗４３が仮保持された状態で溶接により導通可能に固着されている。
【００５０】
＜フェライトコア５０＞
図４に示すように、フェライトコア５０は、軸線を上下方向（板状部２１と略直角な方向）に向けた円環形をなす。フェライトコア５０に巻線５１を複数回巻回することにより、一次コイルが構成されている。巻線５１の両端には一対の細長い端子ピン５２が接続されている。フェライトコア５０は、板状部２１の下面側に配置され、位置決め突起３１に外嵌されることで、ベース部材２０に対して位置決めされた状態に保持されている。また、一方の端子ピン５２は第５バスバー３３Ｅのコンデンサ用接続部３６の溝部に嵌合され、他方の端子ピン５２は第６バスバー３３Ｆのコンデンサ用接続部３６の溝部に嵌合されている。端子ピン５２は、溝部への嵌合によりコンデンサ用接続部３６に仮保持される。端子ピン５２は、仮保持された状態で溶接により長尺のリード４５Ｌと共にコンデンサ用接続部３６に導通可能に固着される。これにより、巻線５１は、コンデンサ４１Ａ，４１Ｂとバスバー３３Ｅ，３３Ｆを介して一対のＡＣ線１６Ａ，１６Ｂに接続された状態となる。
【００５１】
フェライトコア５０には、ＰＬＣユニット（図示省略）に接続されたＰＬＣ線（図示省略）の折返し部分が巻回され、二次コイルが構成されている。このフェライトコア５０と巻線５１（一次コイル）と端子ピン５２とＰＬＣ線（二次コイル）によって変圧器５３が構成されている。変圧器５３は、ハウジング１１の近傍に配置され、ＡＣ線１６Ａ，１６Ｂに重畳された信号を取り出す。一方、ＰＬＣユニットは、充電用コネクタ１０から離れた位置に配置され、ＡＣ線１６Ａ，１６Ｂに重畳された信号を変圧器５３から抽出することにより給電装置からの信号を取り出す。
【００５２】
＜ベース部材２０に対する電線１６Ａ，１６Ｂ，１７，１８Ａ，１８Ｂの取付け構造＞
２本のＡＣ線１６Ａ，１６Ｂは、ベース部材２０と対応する領域の一部分が絶縁被覆を除去して導体５４を露出させた状態となっており、板状部２１の上面に沿って前後方向に配索されている。２本のＡＣ線１６Ａ，１６Ｂのうち右側の第１ＡＣ線１６Ａは、絶縁被覆で覆われた部分が上側前縁壁２２の右側の位置決め部２６と上側後縁壁２３の右側の位置決め部２６に嵌合され、露出した導体５４が第１バスバー３３Ａの電線用接続部３５に嵌合されている。一方、左側の第２ＡＣ線１６Ｂは、絶縁被覆で覆われた部分が上側前縁壁２２の左側の位置決め部２６と上側後縁壁２３の左側の位置決め部２６とに嵌合され、露出した導体５４が第２バスバー３３Ｂの電線用接続部３５に嵌合されている。２本のＡＣ線１６Ａ，１６Ｂは、位置決め部２６及び電線用接続部３５への嵌合により、ベース部材２０に対して位置決めされた状態に仮保持されている。ＡＣ線１６Ａ，１６Ｂが仮保持されている状態で、導体５４が溶接によって電線用接続部３５に導通可能に固着されている。
【００５３】
ＧＮＤ線１７は、ベース部材２０と対応する領域の一部分が絶縁被覆を除去して導体５４を露出させた状態となっており、突出部２７（板状部２１）の下面に沿って前後方向に配索されている。ＧＮＤ線１７は、絶縁被覆で覆われた部分が延長壁部３２の位置決め部２６と前壁部２８の位置決め部２６と後壁部２９の右側の位置決め部２６とに嵌合され、露出した導体５４が第３バスバー３３Ｃの電線接続部３８の下面と接近する位置に配置されいる。ＧＮＤ線１７は、位置決め部２６への嵌合により、ベース部材２０に対して位置決めされた状態に仮保持されている。ＧＮＤ線１７が仮保持されている状態で、導体５４が溶接によって電線接続部３８に導通可能に固着されている。
【００５４】
２本の信号線１８Ａ，１８Ｂのうち右側の第１信号線１８Ａは、ベース部材２０と対応する領域の一部分が絶縁被覆を除去して導体５４を露出させた状態となっており、板状部２１の下面に沿って前後方向に配索されている。第１信号線１８Ａは、絶縁被覆で覆われた部分が下側前縁壁２４の右側の位置決め部２６と下側後縁壁２５の右側の位置決め部２６とに嵌合され、露出した導体５４が第４バスバー３３Ｄの電線用接続部３５に嵌合されている。第１信号線１８Ａは、位置決め部２６への嵌合により、ベース部材２０に対して位置決めされた状態に仮保持されている。第１信号線１８Ａが仮保持されている状態で、導体５４が溶接によって電線用接続部３５に導通可能に固着されている。左側の第２信号線１８Ｂは、板状部２１の下面に沿って前後方向に配索されている。第２信号線１８Ｂは、下側前縁壁２４の左側の位置決め部２６と下側後縁壁２５の左側の位置決め部２６とに嵌合されることにより、ベース部材２０に対して位置決めされた状態に仮保持されている。
【００５５】
ベース部材２０には、ハウジング１１から導出された５本の電線１６Ａ，１６Ｂ，１７，１８Ａ，１８Ｂとは別の第３信号線１９の前端部が接続されている。この第３信号線１９は、前端部が絶縁被覆を除去して導体５４を露出させた状態となっている。第３信号線１９は、後壁部２９の左側の位置決め部２６に嵌合されているとともに、露出した導体５４が第３バスバー３３Ｃの電線接続部３８の下面と接近する位置に配置されている。そして、第３信号線１９が位置決め部２６への嵌合によって仮保持されている状態で、導体５４が溶接によって電線接続部３８に導通可能に固着されている。
【００５６】
＜モールド成形体５５＞
図１，３に示すように、電子部品ユニット１５は、ベース部材２０の全体、全てのバスバー３３Ａ，３３Ｂ，３３Ｃ，３３Ｄ，３３Ｅ，３３Ｆの全体、コンデンサ４１Ａ，４１Ｂの全体、バリスタ４２Ａ，４２Ｂの全体、抵抗４３の全体、変圧器５３の全体、及び電線１６Ａ，１６Ｂ，１７，１８Ａ，１８Ｂ，１９のうちベース部材２０の近傍に配索されている部分を包み込むモールド成形体５５を備えている。電子部品ユニット１５における露出した導電部分（バスバー３３Ａ，３３Ｂ，３３Ｃ，３３Ｄ，３３Ｅ，３３Ｆ、電線１６Ａ，１６Ｂ，１７，１８Ａ，１８Ｂ，１９における導体５４の露出部分、リード４５Ｌ，４５Ｓ，４７Ｌ，４７Ｒ，４９Ｌ，４９Ｒ、変圧器５３の巻線５１と端子ピン５２）は、モールド成形体５５で包囲することにより、被水及び浸水から保護され、確実に防水されている。
【００５７】
また、各電線１６Ａ，１６Ｂ，１７，１８Ａ，１８Ｂ，１９は、モールド成形体５５の前面及び後面から前後方向に導出されている。そして、図６に示すように、モールド成形体５５の前面における５本の電線１６Ａ，１６Ｂ，１７，１８Ａ，１８Ｂの導出位置は、ハウジング１１の後面における５本の電線１６Ａ，１６Ｂ，１７，１８Ａ，１８Ｂの導出位置と対応する位置関係となっている。このような位置関係としたことにより、ベース部材２０（電子部品ユニット１５）をハウジング１１の後面に接近した位置に配置することができた。これにより、充電用コネクタ１０は、電線の長さ方向において小型化されている。
【００５８】
＜グロメット５６＞
図５に示すように、グロメット５６は、全体として前後方向に貫通する筒状をなす。グロメット５６の径寸法は、前端部で最大であり、後方に向かって次第に小径となり、後端部で最小となる。グロメット５６の前端部は、ハウジング１１のフランジ部１１Ｆの後面に液密状に取り付けられている。電子部品ユニット１５は、その全体がグロメット５６内に収容されている。グロメット５６の内部空間はハウジング１１の後面に臨んでいるので、ハウジング１１の前面に付着してキャビティ１３と端子金具１２の隙間を通過した水は、グロメット５６の内部に入り込む。グロメット５６内に入り込んだ水は、グロメット５６の底面を貫通する排水孔５７からドレンホース５８を通り、グロメット５６外へ排出される。
【００５９】
＜実施形態の効果＞
本実施形態の電子部品ユニット１５は、充電用コネクタ１０を構成するハウジング１１の後方に配置されたものであって、絶縁性材料からなるベース部材２０と、端子金具１２に接続され、ハウジング１１の後方へ導出されてベース部材２０に沿って配索された電線１６Ａ，１６Ｂ，１７，１８Ａ，１８Ｂと、パッケージ４４，４６，４８からリード４５Ｌ，４５Ｓ，４７Ｌ，４７Ｒ，４９Ｌ，４９Ｒを導出させた形態の電子部品（コンデンサ４１Ａ，４１Ｂとバリスタ４２Ａ，４２Ｂと抵抗４３）と、ベース部材２０に取り付けられ、電線１６Ａ，１６Ｂ，１７，１８Ａ，１８Ｂが接続される電線用接続部３５とリード４５Ｌ，４５Ｓ，４７Ｌ，４７Ｒ，４９Ｌ，４９Ｒが接続されるリード用接続部（コンデンサ用接続部３６とバリスタ用接続部３７と抵抗用接続部３９）を有するバスバー３３Ａ，３３Ｂ，３３Ｃ，３３Ｄ，３３Ｅ，３３Ｆを備えている。電子部品（コンデンサ４１Ａ，４１Ｂとバリスタ４２Ａ，４２Ｂと抵抗４３）が接続されるバスバー３３Ａ，３３Ｂ，３３Ｃ，３３Ｄ，３３Ｅ，３３Ｆは、ベース部材２０に取り付けられことによって位置決めされるので、電子部品（コンデンサ４１Ａ，４１Ｂとバリスタ４２Ａ，４２Ｂと抵抗４３）も所定の位置に位置決めされる。これにより、電子部品（コンデンサ４１Ａ，４１Ｂとバリスタ４２Ａ，４２Ｂと抵抗４３）の配置スペースを小さく抑えることができる。
【００６０】
また、リード４５Ｌ，４５Ｓ，４７Ｌ，４７Ｒ，４９Ｌ，４９Ｒの突出方向を、ベース部材２０における電線１６Ａ，１６Ｂ，１７，１８Ａ，１８Ｂの配索方向と交差する方向に向けたので、電線の配索方向における電子部品（コンデンサ４１Ａ，４１Ｂとバリスタ４２Ａ，４２Ｂと抵抗４３）の配置スペースを小さく抑えることができる。また、電子部品（コンデンサ４１Ａ，４１Ｂとバリスタ４２Ａ，４２Ｂと抵抗４３）は、パッケージ４４，４６，４８の外形寸法のうちベース部材２０における電線１６Ａ，１６Ｂ，１７，１８Ａ，１８Ｂの配索方向と平行な方向の外形寸法が最小となるように配置されている。この構成によれば、電線１６Ａ，１６Ｂ，１７，１８Ａ，１８Ｂの配索方向における電子部品（コンデンサ４１Ａ，４１Ｂとバリスタ４２Ａ，４２Ｂと抵抗４３）の配置スペースを小さく抑えることができる。
【００６１】
本実施形態では、ベース部材２０が板状部２１を有しており、複数の電子部品を含む回路構成部品（コンデンサ４１Ａ，４１Ｂとバリスタ４２Ａ，４２Ｂと抵抗４３とフェライトコア５０）が、板状部２１の表裏両面側に配置されている。この構成によれば、板状部の片面側のみに回路構成部品を配置する場合に比べると、ベース部材２０を小型化することができる。また、変圧器５３を構成するフェライトコア５０は、ベース部材２０に取り付けたことにより、電子部品（コンデンサ４１Ａ，４１Ｂとバリスタ４２Ａ，４２Ｂと抵抗４３）の近傍に配置されるので、電子部品ユニット１５を全体的に小型化することができる。
【００６２】
また、電線１６Ａ，１６Ｂ，１７，１８Ａ，１８Ｂは、溝状の電線用接続部３５に仮保持された状態で溶接によりバスバー３３Ａ，３３Ｂ，３３Ｃ，３３Ｄ，３３Ｅ，３３Ｆに固着されている。リード４５Ｌ，４５Ｓ，４７Ｌ，４７Ｒ，４９Ｌ，４９Ｒも、溝状のリード用接続部（コンデンサ用接続部３６とバリスタ用接続部３７と抵抗用接続部３９）に仮保持された状態で溶接によりバスバー３３Ａ，３３Ｂ，３３Ｃ，３３Ｄ，３３Ｅ，３３Ｆに固着されている。したがって、電線１６Ａ，１６Ｂ，１７，１８Ａ，１８Ｂやリード４５Ｌ，４５Ｓ，４７Ｌ，４７Ｒ，４９Ｌ，４９Ｒをバスバー３３Ａ，３３Ｂ，３３Ｃ，３３Ｄ，３３Ｅ，３３Ｆに溶接する際に、電線１６Ａ，１６Ｂ，１７，１８Ａ，１８Ｂやリード４５Ｌ，４５Ｓ，４７Ｌ，４７Ｒ，４９Ｌ，４９Ｒを手で押さえておかずに済むので、作業性が良い。
【００６３】
＜他の実施形態＞
本発明は上記記述及び図面によって説明した実施形態に限定されるものではなく、例えば次のような実施形態も本発明の技術的範囲に含まれる。
（１）上記実施形態では、電子部品を含む回路構成部品を、ベース部材の板状部の表裏両面に実装したが、回路構成部品は板状部の表裏両面のうちいすれか一方の面のみに実装してもよい。
（２）上記実施形態では、ベース部材に板状部を形成し、この板状部に電子部品（回路構成部品）を実装したが、ベース部材に箱状部を形成し、この箱状部の内部に電子部品を収容する形態で実装してもよい。
（３）上記実施形態では、充電用コネクタが、キャビティと端子金具との隙間から水が浸入するタイプのコネクタである場合について説明したが、本発明は、キャビティと端子金具との隙間がシールされたタイプの充電用コネクタにも適用できる。この場合、電子部品ユニットにおけるバスバーと電子部品との接続部分及びバスバーと電線との接続部分に対する防水処理や、防水用のグロメットは不要となる。
（４）上記実施形態では、組付け工程において、バスバーに対し電線と電子部品を仮保持した状態で、この仮保持部分を溶接（半田付け）により導通可能に固着したが、電線や電子部品をバスバーに仮保持せずに、溶接してもよい。
（５）上記実施形態では、ベース部材とバスバーと電子部品をモールド成形体によって防水したが、モールド成形体を用いずに、熱収縮チューブ等で防水してもよい。
（６）上記実施形態では、ベース部材における複数本の電線の位置を、ハウジングの後面の導出位置と対応させたが、ベース部材における複数本の電線の位置は、ハウジングの背面の導出位置と非対応の位置関係であってもよい。
（７）上記実施形態では、パッケージからのリードの突出方向を、ベース部材における電線の配索方向と交差する方向に向けたが、これに限らず、リードの突出方向は、ベース部材における電線の配索方向と平行な方向に向けてもよく、ベース部材における電線の配索方向に対して斜めの方向に向けてもよい。
（８）上記実施形態では、電子部品が、パッケージの外形寸法のうちベース部材における電線の配索方向と平行な方向の外形寸法が最小となるように配置されているが、これに限らず、電子部品は、パッケージの外形寸法のうちベース部材における電線の配索方向と交差する方向の外形寸法が最小となるように配置されていてもよい。
【符号の説明】
【００６４】
１０…充電用コネクタ
１１…ハウジング
１２…端子金具
１５…電子部品ユニット
１６Ａ，１６Ｂ…ＡＣ線（電線）
１７…ＧＮＤ線（電線）
１８Ａ，１８Ｂ…信号線（電線）
２０…ベース部材
２１…板状部
２６…位置決め部
３３Ａ…第１バスバー
３３Ｂ…第２バスバー
３３Ｃ…第３バスバー
３３Ｄ…第４バスバー
３３Ｅ…第５バスバー
３３Ｆ…第６バスバー
３５…電線用接続部
３６…コンデンサ用接続部（リード用接続部）
３７…バリスタ用接続部（リード用接続部）
３９…抵抗用接続部（リード用接続部）
４１Ａ，４１Ｂ…コンデンサ（電子部品、回路構成部品）
４２Ａ，４２Ｂ…バリスタ（電子部品、回路構成部品）
４３…抵抗（電子部品、回路構成部品）
４４，４６，４８…パッケージ
４５Ｌ，４５Ｓ，４７Ｌ，４７Ｒ，４９Ｌ，４９Ｒ…リード
５０…フェライトコア（回路構成部品）
５３…変圧器
５５…モールド成形体
６０…車体
【図１】
0005696598.tif 000002
【図２】
0005696598.tif 000003
【図３】
0005696598.tif 000004
【図４】
0005696598.tif 000005
【図５】
0005696598.tif 000006
【図６】
0005696598.tif 000007